(57)【要約】【課題】  負のエネルギーを空間に蓄えるためのコイルを提供する。【解決手段】  ＋Ｍ結合の磁気結合部と−Ｍ結合の磁気結合部が直列に接続されていることを特徴とするエネルギー双極型コイルの二つの電流路に、所定のサイクルに従った二つのパルス電圧を印加することで、一方の磁気結合部の周辺空間に正のエネルギーを、他方の磁気結合部の周辺空間に負のエネルギーを、時空の歪みとして蓄えることを可能にし、これをもって上記課題の解決手段とする。【選択図】図１
2007324553.tif 000002
【特許請求の範囲】
【請求項１】
＋Ｍ結合の磁気結合部と−Ｍ結合の磁気結合部が直列に接続されていることを特徴とする、エネルギー双極型コイル。
【発明の詳細な説明】
【技術分野】
【０００１】  本発明は、正と負のエネルギーを空間に蓄えるための、エネルギー双極型コイルに関するものである。
【背景技術】
【０００２】  従来、電気回路に於いて、コイルはエネルギーを蓄える働きを担っていた。
【発明の開示】
【発明が解決しようとする課題】
【０００３】  しかしながら、従来のコイルが蓄えることができるのは正のエネルギーのみであり、負のエネルギーを蓄えることはできなかった。【０００４】  従って本発明の目的は、上記問題を解決するエネルギー双極型コイルを提供することにある。
【課題を解決するための手段】
【０００５】  ＋Ｍ結合の磁気結合部と−Ｍ結合の磁気結合部が直列に接続されていることを特徴とする、エネルギー双極型コイルを構成する。【０００６】  上記構成により形成される二つの電流路に、直流電圧を同時に印加し、その後一方の電圧を切断した後に他方の電圧を切断することで、電圧の印加時に相互インダクタンスを持たせ、電圧の切断時に相互インダクタンスを消し去ることができる。また二つの電流路に時間をずらして片方ずつ直流電圧を印加し、その後両方を同時に切断することで、電圧の印加時に相互インダクタンスを消し去り、電圧の切断時に相互インダクタンスを持たせることができる。【０００７】  相互インダクタンスが電圧の印加時と切断時で異なることは、一方の電流路だけで電流が変化するときに、他方の電流路の二つのコイルに生じる起電力が互いに打ち消し合うことに起因している。＋Ｍ結合か−Ｍ結合かの違い以外のコイルの条件がすべて同じときには、一方の電流路だけで電流が変化するときに、他方の電流路の二つのコイルに生じる起電力が完全に打ち消し合い、そこを流れる電流もまったく変化しない。すなわちこのとき相互インダクタンスが現れない。【０００８】  磁気結合部に蓄えられ放出されるエネルギーは、各コイルの自己インダクタンスに蓄えられるエネルギーの和と相互インダクタンスに蓄えられるエネルギーとの和（＋Ｍ結合時）または差（−Ｍ結合時）になる。相互インダクタンスが電圧の印加時と切断時で異なることにより、印加時にコイルに蓄えられるエネルギーと、切断時にコイルから放出されるエネルギーが一致しなくなる。一つの磁気結合部で、蓄えられるエネルギーの総量よりも放出されるエネルギーの総量の方が少なければ、その磁気結合部を介してエネルギーが空間に消滅したことになり、逆に多ければエネルギーが空間から出現したことになる。【０００９】  上記説明で明らかなように、本発明の構成がその目的を達成するためには、二つの電流路に電圧を印加し切断する順番が重要になる。電圧を印加し切断する順番には順方向サイクルと逆方向サイクルの二つがある。順方向サイクルは、先に二つの電流路に同時に電圧を印加し、その後一方の電圧を切断した後に他方の電圧を切断し、切断時の過渡電流が最低値になるまでを言う。逆方向サイクルは、先に時間をずらして片方ずつ電圧を印加し、その後両方の電圧を同時に切断し、切断時の過渡電流が最低値になるまでを言う。【００１０】  順方向サイクルで電圧を印加し切断するときには＋Ｍ結合部でエネルギーが消滅し−Ｍ結合部でエネルギーが出現することになる。また逆方向サイクルで電圧を印加し切断するときには、＋Ｍ結合部でエネルギーが出現し−Ｍ結合部でエネルギーが消滅することになる。二つの電流路に印加し切断する電圧を入れ替えても結果は同じである。実際にはエネルギーが本当に消滅したり出現したりするのではなく、エネルギーが消滅して見える磁気結合部では、その周辺空間に正のエネルギーを蓄えた時空の歪みが生じ、これが波となって遠方に拡散していく。またエネルギーが出現して見える磁気結合部では、その周辺空間に負のエネルギーを蓄えた時空の歪みが生じ、これが波となって遠方に拡散していく。
【発明の効果】
【００１１】  本発明が構成する二つの電流路に、順方向サイクルまたは逆方向サイクルで示した所定の順番により電圧を印加し切断することで、一方の磁気結合部の周辺空間に正のエネルギーを、他方の磁気結合部の周辺空間に負のエネルギーを、時空の歪みという形で蓄えることが可能になる。【００１２】  こうして二つの磁気結合部の周辺に時空の勾配が生じ一定方向の重力場が形成される。重力の働く向きは、重力場のエネルギーが負であることから、エネルギーの消滅する磁気結合部からエネルギーの出現する磁気結合部に向かう方向になる。またここでは磁気結合部から輻射される時空の波が重力の源になるので、物体に働く重力の反作用としての力を磁気結合部が受けることはない。また二つの磁気結合部間とその周辺に形成される重力場は、距離を隔てて空間に蓄えられる同じ量の正と負のエネルギーに起因するので、原理的にはその形成と維持のために外部からのエネルギーを必要としない。よって本発明は広大な宇宙空間を航行する新しい推進装置の基本要素になり得る。【００１３】  本発明の片側の磁気結合部から輻射される負のエネルギーの波は、正のエネルギーの波の波源への集束として解釈する。すなわち、負のエネルギーを持つ一つの波が波源から輻射されると、この波は通過するすべての空間に於いて正のエネルギーを波源に向けて集束させながら遠方へと伝わっていく。負のエネルギーの波が持つ上記特性により、エネルギーの出現する磁気結合部周辺に於いて局所的な負のエントロピーを実現できる。
【発明を実施するための最良の形態】
【００１４】  本発明の実施の形態を以下に説明する。片側の電流路で電流が変化するときの相互インダクタンスを完全に消し去るために、＋Ｍ結合か−Ｍ結合かの違い以外はコイルの条件をすべて同じにする。図１にその構成を示す。破線で囲まれた部分は＋Ｍ結合と−Ｍ結合の二つの磁気結合部を示している。二つの磁気結合部の漏れ磁束をなくして相互の干渉を防ぐために、図２の形態例に示す如く、磁芯の形態はトロイダルコアとする。コイルはすべて同様に均等に巻かれている。コイルの巻き始めと巻き終わりの位置は各トロイダルコアの同じ位置にある。樹脂製のホルダーとスペーサーにより、二つの磁気結合部が距離を置いて同軸上に固定されている。磁気結合部間をつなぐ二本の導線はスペーサーに設けられた穴を通して固定されている。上記構成が本発明の実施の形態である。【００１５】  本発明を電気回路の一部として活用するためには、本発明が構成する二つの電流路に、順方向サイクルまたは逆方向サイクルに従った図３または図４に示すパルス電圧を印加して電流を流さなければならない。ここでは回路が比較的高い電圧と大電流に耐えられるために、電子化されたパルス電源を使わないものとする。図５は重力場を発生させるための最も簡単な回路の一例である。ドラムの表面に貼り付けた導電性のチャート図を集電子に摺動させることで、整流とスイッチ動作を行う。これにより電池から所定のパルス電圧を印加する。可逆スイッチの操作によりモーターを逆回転させることで、磁気結合部周辺に現れる正と負のエネルギーの極性とそれに伴う重力場の向きを反転させることができる。
【図面の簡単な説明】
【００１４】
【図１】  本発明の全体を示す構成図である。
【図２】  本発明の形態例として示す一部を切り欠いた斜傾図である。
【図３】  順方向サイクルに従うパルス電圧を示す図である。
【図４】  逆方向サイクルに従うパルス電圧を示す図である。
【図５】  本発明の使用例を示す模式図である。
【符号の説明】
【００１５】１ａ  −Ｍ結合の磁気結合部
１ｂ  ＋Ｍ結合の磁気結合部
２    磁芯
３    コイル
４    端子
５    接続用導線
６    ホルダー
７    スペーサー
８    トロイダルコア
９    回転摺動部導電チャート
１０  主電源スイッチ
１１  回転摺動用直流モーター
１２  速度調節用可変抵抗器
１３  可逆スイッチ
１４  集電子
【図１】
2007324553.tif 000003
【図２】
2007324553.tif 000004
【図３】
2007324553.tif 000005
【図４】
2007324553.tif 000006
【図５】
2007324553.tif 000007